(57)【要約】【課題】宅内の機器のスケジュールが自動的に表示でき、すぐに確認できる通信システムを提供することを目的とする。【解決手段】車１２のキー１７のトリガーにより、宅内の機器５のスケジュールを自動的に表示手段１５に表示し、すぐに確認できる構成としたものである。これにより、車１２に乗車する一連の流れの中で、外出しようとして車を始動すれば、宅内装置１１の機器５のスケジュール状態が自動的に表示手段１５に表示されるので、個々の機器５のスケジュールをすぐに確認することが可能となる。【選択図】図１
2005326214.tif 000002
【特許請求の範囲】
【請求項１】
宅内装置と、この装置と通信可能な車とを備え、前記宅内装置は、機器と、前記機器のスケジュールを記憶する記憶手段と、前記機器と通信して遠隔制御するための無線通信手段と、前記機器を外部のネットワーク網と接続し通信する情報通信手段と、前記記憶手段、機器、無線通信手段、情報通信手段からの情報を送受、制御する制御手段とを有し、前記車は、前記宅内装置と同じ構成手段の少なくとも１つ以上を含む手段と、前記機器とワイヤレス通信して前記機器の記憶手段のスケジュールを一時的に記憶する記憶部を有する車のキーと、時計機能とナビゲーション機能を有する表示手段とを有し、前記キーのトリガーにより前記表示手段に機器のスケジュールを表示する構成とした通信システム。
【請求項２】
車の表示手段は、ナビゲーション表示と機器スケジュールの表示とを切替え操作可能とし、機器のスケジュールはバー表示とした請求項１に記載の通信システム。
【請求項３】
車は位置情報手段を有し、宅内装置から離れた時に表示手段へ時計に合わせた機器のスケジュールを非表示、接近した時に表示する構成とした請求項１または２に記載の通信システム。
【発明の詳細な説明】
【技術分野】
【０００１】
本発明は、車から宅内装置の機器を制御することができる通信システムに関するものである。
【背景技術】
【０００２】
従来のこの種の通信システムは、図６に示すように、宅外のパソコン１からインターネット網を介して宅内装置の各機器群２〜４であるテレビ、ＶＴＲ、エアコンを制御するようにしたものが知られている。そして、パソコン１はインターネット網を介してその指令により各種機器群と通信を行い制御ができるようになっていた（例えば、特許文献１参照）。
【特許文献１】特開２００１−８２７６号公報
【発明の開示】
【発明が解決しようとする課題】
【０００３】
しかしながら、前記従来の通信システムにおいて、車が今日普及している中で、車から宅内装置の制御や、機器のスケジュール管理を行いたいニーズがでてきた。携帯電話での宅外からの制御は、可能であるが車を運転中での携帯電話の制御は、安全運転上できないことや、外出しようとする時や帰宅途中において宅内装置における機器のスケジュールの状態確認（いつオンしていつオフするか、いつごろご飯ができるかなど）は、その操作の時間的な余裕がとれないという課題があった。
【０００４】
本発明は、前記従来の課題を解決するもので、宅内の機器のスケジュールが自動的に表示でき、すぐに確認できる通信システムを提供することを目的とするものである。
【課題を解決するための手段】
【０００５】
前記従来の課題を解決するために、本発明の通信システムは、車のキーのトリガーにより、宅内の機器のスケジュールを自動的に表示手段に表示し、すぐに確認できる構成としたものである。
【０００６】
これにより、車に乗車する一連の流れの中で、外出しようとして車のキー操作をすれば、宅内装置の機器のスケジュール状態が自動的に表示手段に表示されるので、個々の機器のスケジュールをすぐに確認することが可能となる。
【発明の効果】
【０００７】
本発明の通信システムは、宅内装置の機器のスケジュール状態が自動的に表示手段に表示でき、すぐに確認することができて利便性が向上する。
【発明を実施するための最良の形態】
【０００８】
第１の発明は、宅内装置と、この装置と通信可能な車とを備え、前記宅内装置は、機器と、前記機器のスケジュールを記憶する記憶手段と、前記機器と通信して遠隔制御するための無線通信手段と、前記機器を外部のネットワーク網と接続し通信する情報通信手段と、前記記憶手段、機器、無線通信手段、情報通信手段からの情報を送受、制御する制御手段とを有し、前記車は、前記宅内装置と同じ構成手段の少なくとも１つ以上を含む手段と、前記機器とワイヤレス通信して前記機器の記憶手段のスケジュールを一時的に記憶する記憶部を有する車のキーと、時計機能とナビゲーション機能を有する表示手段とを有し、前記キーのトリガーにより前記表示手段に機器のスケジュールを表示する構成とした通信システムとすることにより、車に乗車する一連の流れの中で、外出しようとして車のキー操作をすれば、宅内装置の機器のスケジュール状態が自動的に表示手段に表示されるので、個々の機器のスケジュールをすぐに確認することが可能となる。
【０００９】
第２の発明は、特に、第１の発明において、車の表示手段は、ナビゲーション表示と機器スケジュールの表示とを切替え操作可能とし、機器のスケジュールはバー表示としたことにより、車のキーを操作した時に、宅内装置の機器と通信を行い、表示手段の画面上には、自動的に現在の機器のスケジュールをバー表示することができる。つまり、外出しようとして、車のキーでエンジンをスタートする時には、いつでも宅内装置の機器の状態と、機器のスケジュールが確認でき、使用者には機器がいつオンし、いつオフするかなど、機器管理の上での安心感を与える上に、機器のエネルギー管理も確認できる効果がある。
【００１０】
第３の発明は、特に、第１または第２の発明において、車は位置情報手段を有し、宅内装置から離れた時に表示手段へ時計に合わせた機器のスケジュールを非表示、接近した時に表示する構成としたことにより、使用者宅からある程度の距離、車が離れた時には機器のスケジュール表示からナビゲーション表示に自動的に切り替るので、運転開始から運転中での表示切替えの操作が不要となる効果がある。また、使用者宅の付近にいるときや、接近した時にはナビゲーション表示から機器のスケジュール表示へと自動的に切り替るので、宅内装置に接近する時に時計にあわせた宅内の機器のスケジュール（オンオフのスケジュール状態）を確認でき、所望の機器のスケジュールを事前に確認し制御できれば無駄のない快適な生活が得られる効果がある。また、機器のスケジュールで時計に合致していないスケジュールは非表示にされるので、表示手段の表示の煩雑さが解消される効果を有する。
【００１１】
以下、本発明の実施の形態について、図面を参照しながら説明する。なお、この実施の形態によって本発明が限定されるものではない。
【００１２】
（実施の形態１）
図１、図２は、本発明の実施の形態１における通信システムを示している。
【００１３】
図に示すように、本実施の形態における通信システムは、宅内装置１１と、この装置と通信可能な車１２とを備えている。
【００１４】
前記宅内装置１１は、機器５と、前記機器５のスケジュールを記憶する記憶手段６と、前記機器５と通信して遠隔制御するための無線通信手段７と、前記機器５を外部のネットワーク網８と接続し通信する情報通信手段９と、前記記憶手段６、機器５、無線通信手段７、情報通信手段９からの情報を送受、制御する制御手段１０とを有する。
【００１５】
また、前記車１２は、前記宅内装置１１と同じ構成手段の少なくとも１つ以上を含む手段１３、１４と、前記機器５とワイヤレス通信して前記機器５の記憶手段６のスケジュールを一時的に記憶する記憶部１９を有する車のキー１７と、時計機能と地図などを表示するナビゲーション機能とを有する表示手段１５とを有している。なお、前記キー１７は、前記宅内装置１１の無線通信手段７とワイヤレス通信する通信部１８をも有するものである。また、前記キー１７は車１２のドアをワイヤレス通信で開閉する機能も備えている。
【００１６】
そして、前記キー１７による車１２の始動トリガーにより、前記表示手段１５には前記宅内装置１１の機器５のスケジュールが自動的にバー表示される構成となっているものであり、使用者は、車に乗車する一連の流れの中で、キー１７を操作すれば、宅内装置１１における個々の機器５のスケジュールが自動的にバー表示され表示手段１５で確認することができるものである。
【００１７】
次に、本実施の形態における通信システムの動作、作用について説明する。
【００１８】
宅内装置１１側の制御手段１０は、使用者が車のキー１７操作による車の始動トリガー（ドアの開閉でもよい）がかかると、まず、車のキー１７の通信部１８と、機器５側の記憶手段６とスケジュールデータを伝送するために無線通信手段７を介してワイヤレスで通信するためのプロトコルを有し、記憶手段６のデータを記憶部１８に一時的に記憶する。この信号伝送の方法は、車のキー１７と、宅内装置１１を接近させて電子タグのように高周波の電流を一時的にかけて信号伝送する方法でもよいし、特定小電力無線周波数帯、赤外線などでもよく媒体は限定しない。また、機器５と制御手段１０の間は、８０２．１１ｘなどのプロトコルや特定小電力無線による無線通信手段７によってスケジュールの伝送を行うこともでき、その媒体は限定しない。そして、車１２に乗車する時には、キー１７の記憶部１９による機器５のスケジュールデータは車側の情報通信手段１３、制御手段１４を介して、図２のように表示手段１５にバー表示される。
【００１９】
また、車が宅外からある程度の距離が離れ、外部のネットワーク網８を介して通信する場合（機器のオンオフのスケジュール取得）は、車の制御手段１４、情報通信手段１３からのアクセスによって、記憶手段６に登録された機器５のスケジュール状態を返信し、図２に示すように表示手段１５に機器のスケジュール状態をバー表示する。これにより、車１２からの車のキー１７による指令の基づいて制御手段１０から機器５へ無線通信手段７によって機器５の制御、スケジュールのモニタが行われる。その結果は記憶手段６に再度記憶される。
【００２０】
また、宅内装置１１の情報通信手段９と車１２の情報通信手段１３とは、インターネット網で接続する場合、車１２からの宅内装置１１のアクセス方法は、インターネット網の無線ＬＡＮでアクセスしてもよい。そして、ネットワーク網８と接続された情報通信手段９へスケジュールを送信し、車のナビゲーション機能を有する表示手段１５に表示してもよい。なお、機器５のスケジュールの変更は、表示手段１５にタッチし、図２に示す各機器のタイム表示バーをスライドすることでもよいし、音声認識などの技術手段で変更してもよい。
【００２１】
上記したように本実施の形態によれば、車のキー１７を介して機器５のスケジュールを車の表示手段１５に外部のネットワークを介さずに取得できるとともに、宅外での遠隔制御および機器５のスケジューリングが可能となる。
【００２２】
（実施の形態２）
図３は、本発明の実施の形態２における通信システムを示し、表示手段での機器の状態表示例を示している。実施の形態１と同一要素については同一符号を付して説明を省略する。
【００２３】
本実施の形態においては、車１２の表示手段１５は、ナビゲーション表示と機器スケジュールの表示とを切替え操作可能とし、機器５のスケジュールはバー表示としたものである。
【００２４】
これにより、車１２のキー１７を操作した時に、宅内装置１１の機器５と通信を行い、表示手段１５の画面上には、自動的に現在の機器のスケジュールをバー表示することができる。つまり、外出しようとして、車１２のキー１７でエンジンをスタートする時には、いつでも宅内装置１１の機器５の状態と、機器のスケジュールが確認でき、使用者には機器がいつオンし、いつオフするかなど、機器管理の上での安心感を与える上に、機器のエネルギー管理も確認できるものである。
【００２５】
図３（ａ）において、車のキー１７の操作によるトリガーで、記憶部１９と宅内装置１１の機器５と通信した結果を表示手段１５に自動的に表示する。この使用者の場合、９時現在で、エアコン、照明、炊飯器が表示されていて、エアコンが９時から１２時までと、１８時から２１時までがオン、照明は８時から１２時と、１７時から２１時までがオン、炊飯器は１７時から２２時までがオンと、それぞれタスクバーで示している。この時、図３（ａ）に示すスケジュールデータは、機器毎のタスクバーにタッチしてスライドすることによって、その時間設定を変えられるようにしている。この時に音声で報知することや、表示手段に表示されているアイコンの色を変えてエアコンの設定状態の変更操作を示してもよい。
【００２６】
また、宅内装置１１の機器５の状態を確認したい時には、エアコンのアイコンをタッチすると、その指令は、車１２からの情報通信手段１３、制御手段１４を介して宅内装置１１の制御手段１０へ機器５の状態を要求する。そして、機器５の状態はネットワーク網８を介して車１２の方へ転送され、図３（ｂ）のように、ナビゲーション表示されているところへ割り込む形で表示手段１５に表示される。この場合、点線や、色変更などでタスクバーのところに変更状況がわかるように反映される。
【００２７】
また、その表示の方法は、ナビゲーション表示と並列でもかまわないし、単独表示でもよく、表示方法が限定されるものではない。また、ナビゲーション表示に切換えたい時は、表示手段１５の解除ボタンにタッチすれば、再びナビゲーション表示にもどるものでもよいし、音声認識などの他の技術手段で自動的に表示する形式でもよい。
【００２８】
このようにして、車１２の中から、宅内装置１１とネットワークを結ぶことによって、宅内装置１１の機器５の制御をすることも、確認することも簡単にできる。
【００２９】
（実施の形態３）
図４、図５は、本発明の実施の形態３における通信システムを示すものである。実施の形態１と同一要素については同一符号を付して説明を省略する。
【００３０】
本実施の形態において、車１２は、ナビゲーションに登録される使用者の自宅の位置情報が記憶されている位置情報手段１６を有し、宅内装置１１から離れた時に表示手段１５へ時計に合わせた機器５のスケジュールを非表示、接近した時に表示する構成としたものである。
【００３１】
これにより、使用者宅からある程度の距離、車１２が離れた時には機器５のスケジュール表示からナビゲーション表示に自動的に切り替るので、運転開始から運転中での表示切替えの操作が不要となる。また、使用者宅の付近にいるときや、接近した時にはナビゲーション表示から機器５のスケジュール表示へと自動的に切り替るので、宅内装置１１に接近する時に時計にあわせた宅内の機器のスケジュール（オンオフのスケジュール状態）を確認でき、所望の機器のスケジュールを事前に確認し制御できれば無駄のない快適な生活が得られる。また、機器５のスケジュールで時計に合致していないスケジュールは非表示にされるので、表示手段１５の表示の煩雑さが解消される。
【００３２】
なお、機器５のスケジュールを非表示にするためのトリガーは、機器５のスケジュールデータに基づいて時計機能に連動して、図５（ａ）のように朝９時であれば、炊飯器のスケジュールデータを非表示にすることや、図５（ｂ）のように１２時であれば、炊飯器のスケジュールデータを表示するなど、その表示方法は、ナビゲーションの時計機能と連動して表示している。また、非表示するためのトリガーは、位置情報手段１６の自宅との距離の関係からも決定され、そのパラメーター設定はナビゲーション側で、使用者が決定できるしくみを入れてもよいし、時計機能に連動してタイマーなどである所定時間表示することでもよい。また、緯度経度や、使用者が予め登録しておく地点を通過したことを検出してトリガーするなど、トリガーの方法は限定されるものではない。そして、使用者宅からある程度の距離、車１２が離れた時には機器５の状態からナビゲーションの表示に自動的に切り替るので、運転開始から運転中での表示切替えの操作が不要である。
【００３３】
一方、使用者宅の付近にいるときや、接近した時にはナビゲーション表示から機器５のスケジュール状態へと自動的に切り替るので、宅内装置１１に接近する時に時計機能と連動して図５（ｂ）のようにも表示され、宅内の機器５のスケジュール（オンオフのスケジュール状態）を確認でき、所望の機器５のスケジュールを事前に確認し制御できれば無駄のない快適な生活、およびエネルギーの管理向上にもつながるものである。機器スケジュールを表示する設定は、ナビゲーション機能が有する時計機能から、機器５がワンスケジュールのオンオフ時刻前後のある時間範囲から判断して自動表示する方法でもよい。
【産業上の利用可能性】
【００３４】
以上のように、本発明にかかる通信システムは、宅内装置の機器のスケジュール状態が自動的に表示手段に表示でき、すぐに確認することができて利便性が向上するので、自動車関係のナビゲーション機能の拡大、および車のキーの電子タグ化での利用拡大が可能となる。
【図面の簡単な説明】
【００３５】
【図１】本発明の実施の形態１における通信システムの構成図
【図２】同通信システムにおける表示手段の表示例を示す図
【図３】（ａ）本発明の実施の形態２における表示手段の表示例を示す図（ｂ）本発明の実施の形態２における表示手段の表示例を示す図
【図４】本発明の実施の形態３における通信システムの構成図
【図５】（ａ）同通信システムにおける表示手段の表示例を示す図（ｂ）同通信システムにおける表示手段の表示例を示す図
【図６】従来の通信システムの構成図
【符号の説明】
【００３６】
５  機器
６  記憶手段
７  無線通信手段
８  ネットワーク網
９、１３  情報通信手段
１０、１４  制御手段
１１  宅内装置
１２  車
１５  表示手段
１６  位置情報手段
１７  車のキー
【図１】
2005326214.tif 000003
【図４】
2005326214.tif 000004
【図６】
2005326214.tif 000005
【図２】
2005326214.tif 000006
【図３】
2005326214.tif 000007
【図５】
2005326214.tif 000008